(57)【特許請求の範囲】
【請求項１】
ダクト本体部と、それから延びるテーパー部と小径部をもつフレキシブルネットチューブの外周を断熱材で覆い、その外周をシート材で覆ってなるフレキシブルダクトにおいて、
上記チューブ内に配置されたダクト本体部とテーパー部と小径部のスパイラル筋１０を、スパイラル直径を変えることによって一体に形成して、上記フレキシブルダクトをダクト本体部とテーパー部及び小径部の間に継手を設けることなく一体に形成し、
上記ダクト本体部に１個または複数個の分岐部を形成し、分岐部に分岐用カラー６を取付け、分岐用カラー６の短筒部７に、シート２６の立上り部２８の内面を粘着材を介して接合し、立上り部２８のシート２６の外周に接着テープ３２を巻き付けて接着してなることを特徴とするフレキシブルダクト。
【発明の詳細な説明】
【技術分野】
【０００１】
本発明は、ダクト本体部とテーパー部と小径部とを継手なしに一体に形成したフレキシブルダクトに関する。
【背景技術】
【０００２】
フレキシブルネットチューブの外周を断熱材で覆い、その外周をシート材で覆ってなるフレキシブルダクトにおいて、ダクト本体部にテーパー部を接続し、該テーパー部に小径部を接続する場合、各部はフランジ継手を用いて連結していた。図1は、その一例を示す。
図において、ａはフレキシブルネットチューブであり、これは、スパイラル筋ｂの片面または両面に薄いシートｃを重ねて可撓性をもつチューブにしたものである。eは、チューブａの外周を覆う断熱材で、例えばグラスウールである。fは、断熱材eの外面を覆うシート、例えばビニールシートであり、こうしてダクト本体部gが形成されている。ｈはテーパー部、iは小径部であり、その断面構造は、ダクト本体部gと同じである。これら3つの部材g、h、iは、フランジ継手j、kによって連結されていた。
なお、図において、lはT型の分岐用カラーであり、これに別のフレキシブルダクトｍが連結される。
【発明の開示】
【発明が解決しようとする課題】
【０００３】
上記の従来のフレキシブルダクトは、継手として、金属製フランジを用いるので、現場における接続作業が必要であり、継手部から空気漏れが発生したり、継手部に保温・結露防止のために保温材を巻く必要があるなど、現場での手間がかかり、コストも上昇し、重量も増加するという欠点があった。また、ダクト本体部の分岐部に分岐用カラーを取付けるための施工工数が多いという欠点があった。
【課題を解決するための手段】
【０００４】
本発明は、上記欠点を解消するフレキシブルダクトを提供しようとするもので、その要旨は、ダクト本体部と、それから延びるテーパー部と小径部をもつフレキシブルネットチューブの外周を断熱材で覆い、その外周をシート材で覆ってなるフレキシブルダクトにおいて、上記チューブ内に配置されたダクト本体部とテーパー部と小径部のスパイラル筋を、スパイラル直径を変えることによって一体に形成して、上記フレキシブルシャフトをダクト本体部とテーパー部及び小径部の間に継手を設けることなく一体に形成し、上記ダクト本体部に１個または複数個の分岐部を形成し、分岐部に分岐用カラーを取付け、分岐用カラーの短筒部に、シートの立上り部の内面を粘着材を介して接合し、立上り部のシートの外周に接着テープを巻き付けて接着してなることを特徴とするフレキシブルダクトにある。
【０００５】
上記要旨において、フレキシブルネットチューブは、スパイラル筋の片面または両面に、例えば布製、耐熱性のあるシート、気密性のあるシートを重ね合わせて形成したもので、全体として可撓性のあるチューブである。断熱材としては、通常、グラスウールが用いられるが、その材料は問わない。
上記分岐部は、複数個設ける場合、対向させて形成してもよい。分岐用の金属製カラー（以下分岐用カラーという）は、耐熱性のプラスチックでもよく、その材質は問わない。
その他、用いる各部の材料は、フレキシブルダクトに適するものであれば、任意の材料を用いることができる。
【発明の効果】
【０００６】
フレキシブルネットチューブ内に配置されたスパイラル筋を、スパイラル直径を変えることによって、そのダクト本体部とテーパー部と小径部とを一体に形成し、各部の間の継手を無くしたので、施工不良による空気漏れと接続部分の外れがなく、保湿施工をなくし、現場での施工工数を著しく削減し、製品から施工までのトータルコストを大きく削減することができる。
また分岐用における分岐用カラーと外周のシートとの接続工程数を減らし、かつ空気漏れを完全に阻止することができる。
【発明を実施するための最良の形態】
【０００７】
図２は、本発明のフレキシブルダクトの1例を示す。図において、１はダクト本体部、２はテーパー部、３は小径部である。４はダクト本体部に設けた分岐部、５は分岐部に取付ける分岐ダクトである。
一般にダクトにおいて、ダクト本体部１にテーパー部２および小径部３を設ける理由の１つは、小径管３によって空気の通路を狭め、それによって、分岐ダクト５に空気を分岐させるためである。したがって、以下に述べる実施例は、分岐ダクト５を備えたフレキシブルダクトについて行なう。本発明は、以下の実施例によって限定されるものではない。
【実施例】
【０００８】
図３〜図８を参照しながら、説明する。図３、図４に分岐部４に用いる金属性の分岐用カラー６を示す。該カラー６は短筒部７とフランジ８とからなる。図５は、フレキシブルネットチューブ９を示す。このチューブは、金属線１０をスパイラル状に形成し、その片面または両面にシート、例えば織布１１を重ね合せて一体に形成したもので、その断面構造は、図１に示す従来のものとほぼ同じ構成のものである。しかし、ダクト本体部１２、テーパー部１３、小径部１４の金属線１０は、そのスパイラル直径を変えることによって、一体に形成する。
スパイラル筋の直径を変えることは、螺施状ばねの成形技術を応用して行なう。こうして図５Ａに示す一体に形成したスパイラル状金属線１０を備えたフレキシブルネットチューブ９が形成される。
【０００９】
次いで穴１５をあけ、これにチューブ９の内側からカラー６を挿嵌し（図５Ｂ，図５Ｃ参照）、チューブ９内に台部材１７を入れてカラー６を支持しながら、カラー６のフランジ８に穴１８を適当数あける（図５Ｄ参照）。
次いで雌ねじ板１９を穴１８にあてがい、チューブ９内のカラー６のフランジ８からボルト２０を雌ねじ板１９に螺入し、カラー６のフランジ８をチューブ９に固着する（図６、図９参照）。
【００１０】
一方、断熱材、例えばグラスール製の方形の断熱板２１を用意し、その中央にカラー６の短筒部７に対応する穴２２をあける（図７参照）。穴２２は、短筒部７の外径よりもやや小さくすることがのぞましい。断熱板２１の幅Ｌは、チューブ９の外周に適合する寸法にし、穴２２をカラー６の短筒部７に挿し込んでから断熱板２１をチューブ９に巻き付ける（図８Ａ参照）。図において、２３は断熱板の衝き合わされた部分を示す。
チューブ９のテーパー部１３、小径部１４にも断熱板２４、２５を巻き付ける（図８Ａ参照）
【００１１】
次いで、図８Ｂに示すように上記断熱板２１，２４，２５を覆うようにして筒状のシート２６をかぶせ、短筒部７に該当する部分２７を切り取る。かくして、チューブ９は短筒部７の上部を露わした形で、シート２６によって覆われる。シート２６は、例えば塩化ビニールシートを用いるが、保湿性と耐火性のあるものであれば、その材質を問わない。図において、２８は、シート２６が短筒部７に沿って立ち上った部分を示す（図８Ｃ参照）
【００１２】
カラー６の短筒部７には、図３に示すように、予め両面粘着テープ３０を粘着しておく。図８Ｃに示すように、粘着テープ３０の外層３１を剥ぎとる。
それによって、短筒部７と粘着テープ３０と立ち上り部２８は、一体に接合される。次いで、立ち上り部２８の外周に、例えば、片面粘着布テープ３２を巻きつける（図８Ｄ、図８Ｅ参照）。
得られたフレキシブルダクト３３の両端部は、例えばシート２６によって包み込み、別のフレキシブルダクトと連結するための手段が施される。この手段は慣用のものであるので省略する。
【００１３】
図８ＥのＩ−Ｉ線による断面の拡大図を図９に示す。図９において、同一部分には、同一番号を符した。この断面構造にすると、空気洩れを完全に阻止することができ、かつ工程数を減らすことができる。
対照例として、従来施工されていた工法による空気漏れ防止の断面構造を図１０に示す。同一部分には、同一番号を符した。この構造によると、結露防止のために、環状の断熱材４０を短筒部７に嵌め込み、その周囲に布粘着テープ４１を貼り、上面に、気密性を保つためにシール材４２を塗布する。さらに短筒部７下端のフランジ８に対応して、織布１１の内面に、図１１の平面図に示す環状板４３を配置し、フランジ８と環状板４３とをボルト２０、ナット１９で締結する。また織布１１とフランジ８との間にもシール材４４を塗布して気密性を保つので、施工工数が多い。
【００１４】
図１２において、Ａ、Ｃは従来例を示し、Ｂ、Ｄは本発明を現場のダクト配置に適用した場合を示す。従来例Ａによれば１〜５の5個のブロックを必要とするのに対し、本発明によれば１〜３の３個ですむ。
また、従来例Ｃによれば１〜７の７個のブロックを必要とするのに対し、本発明によれば、図１２Ｄに示すように、４個のブロックで足りる。
【産業上の利用可能性】
【００１５】
フレキシブルダクトは、ビル、工場などにおける空調設備に用いられる。一般に、これらダクトは、直管、Ｔ型分岐管、テーパー管、小径管などを組み合わせて構成する。
本発明のフレキシブルダクトは、分岐部におけるＴ型分岐管の接続を気密に行うとともに、施工工数を減らすことができた。
またフレキシブルダクトは、一般に、狭小な、あるいは作業空間の小さい個所に適用されるので、施工の容易性を高め、ダクトの気密性、耐久性・耐火性などの品質を向上させることがのぞまれている。
本発明のフレキシブルダクトは、工場において少数のブロックとしてプレハブ化しておき、これを現場において組み立てるので、現場の施工性を著しく高め、かつ品質を向上させることができた。
【図面の簡単な説明】
【００１６】
【図１】従来の、Ｔ型分岐用カラー付きのフレキシブルダクトの１例を示す斜視図であり、一部を切開して示す。
【図２】本発明のＴ型分岐用カラー付きのフレキシブルダクトの１例を示す斜視図である。
【図３】分岐部に用いる金属製分岐用カラーの正面図である。
【図４】金属製分岐用カラーの平面図である。
【図５】本発明におけるフレキシブルネットチューブの側面を示し、図Ａ〜図Ｄは、チューブに上記カラーを取付ける順序を示す図である。図Ａは、一部を切開して、その内部構造を示した。
【図６】フレキシブルネットチューブに金属製分岐用カラーを取付けた状態を示す斜視図である。
【図７】断熱板の斜視図である。
【図８】フレキシブルネットチューブに断熱板を巻き付け、これに外側シートをかぶせてフレキシブルダクトを得るまでの工程を示し、各工程をＡ〜Ｅをもって示す斜視図である。
【図９】図８ＥにおけるＩ−Ｉ線による断面拡大図である。
【図１０】従来の金属製分岐用カラー取付部を示すための、図９に対応させた断面拡大図である。
【図１１】従来の金属製分岐用カラー取付部において用いる環状板の平面図である。
【図１２】本発明のフレキシブルダクトを用いる場合のダクト配置と、従来のフレキシブルダクトを用いた場合のダクト配置を対比したブロック図である。
【符号の説明】
【００１７】
１    ダクト本体部
２    テーパー部
３    小径部
４    分岐部
６    分岐用の金属製カラー
１０  スパイラル筋
１１  シート
１５  穴
１７  台部材
１８  穴
１９  雌ねじ板
２１  断熱板
２６  シート
２８  立ち上り部
３０  粘着テープ
３１  粘着テープの外層
３２  片面粘着テープ
３３  フレキシブルダクト
【図１】
0004620601.tif 000002
【図２】
0004620601.tif 000003
【図３】
0004620601.tif 000004
【図４】
0004620601.tif 000005
【図５】
0004620601.tif 000006
【図６】
0004620601.tif 000007
【図７】
0004620601.tif 000008
【図８】
0004620601.tif 000009
【図９】
0004620601.tif 000010
【図１０】
0004620601.tif 000011
【図１１】
0004620601.tif 000012
【図１２】
0004620601.tif 000013